(57)【要約】    【課題】  カーポート等での開放性を維持しつつ、降雪時には雪の吹込みが防止でき、或は風除け、日除けの機能も有する屋根装置を提供する。    【解決手段】  少なくとも片側２以上の支柱により屋根が支持され、該屋根により格納スペースが覆われる屋根装置に於いて、隣接する支柱それぞれに、支柱から屋根裏面に掛渡りガイドレール１８が設けられ、該ガイドレールにガイドされ昇降可能な少なくとも１枚のパネル２１が前記支柱間に設けられた。    【選択図】          図３
2006312827.tif 000002
【特許請求の範囲】
【請求項１】
少なくとも片側２以上の支柱により屋根が支持され、該屋根により格納スペースが覆われる屋根装置に於いて、隣接する支柱それぞれに、支柱から屋根裏面に掛渡りガイドレールが設けられ、該ガイドレールにガイドされ昇降可能な少なくとも１枚のパネルが前記支柱間に設けられたことを特徴とする屋根装置。
【請求項２】
前記パネルの専有面積は、前記支柱間が形成する開口面積より小さく、前記パネルは最下位置で前記格納スペースに接地し、パネル上方は前記支柱間を開放し、最上位置で屋根に沿って格納可能である請求項１の屋根装置。
【請求項３】
前記パネルは任意の高さで停止可能な請求項１の屋根装置。
【請求項４】
パネル重量とバランスするパネルバランス機構が設けられ、該パネルバランス機構がワイヤを介して前記パネルに連結された請求項１の屋根装置。
【請求項５】
前記パネルバランス機構が錘を有し、該錘は前記ワイヤに係着されると共に支柱内部に収納され、支柱内部を昇降可能である請求項４の屋根装置。
【発明の詳細な説明】
【技術分野】
【０００１】
本発明は、カーポート、自転車置場、物置場等に設けられる屋根装置に関するものである。
【背景技術】
【０００２】
カーポート、自転車置場等に設けられる屋根装置としては、従来、例えば特許文献１に示されるものがあり、日除け、雨除け等に供されている。
【０００３】
一般的に屋根装置としては、図１６に示される様に支柱１が立設され、該支柱１の上端間に掛渡された縦桟２、横桟３、該横桟３に設けられた屋根パネル４から構成されている。
【０００４】
一般的にカーポート等では開放性が求められるので、側壁はなく屋根のみが設けられており、横風、雨の降込み、雪の吹込みには対応がなされていない。この為、積雪地域で降雪があった場合、カーポート、自転車置場の自動車、自転車の格納スペースに迄雪が吹込み積雪する。カーポートに積雪があると、除雪作業をしなければならない等利用者の負担が大きいという問題があった。
【０００５】
【特許文献１】実公平６−４７０６６号公報
【発明の開示】
【発明が解決しようとする課題】
【０００６】
本発明は斯かる実情に鑑み、カーポート等での開放性を維持しつつ、降雪時には雪の吹込みが防止でき、或は風除け、日除けの機能も有する屋根装置を提供するものである。
【課題を解決するための手段】
【０００７】
本発明は、少なくとも片側２以上の支柱により屋根が支持され、該屋根により格納スペースが覆われる屋根装置に於いて、隣接する支柱それぞれに、支柱から屋根裏面に掛渡りガイドレールが設けられ、該ガイドレールにガイドされ昇降可能な少なくとも１枚のパネルが前記支柱間に設けられた屋根装置に係り、又前記パネルの専有面積は、前記支柱間が形成する開口面積より小さく、前記パネルは最下位置で前記格納スペースに接地し、パネル上方は前記支柱間を開放し、最上位置で屋根に沿って格納可能である屋根装置に係り、又前記パネルは任意の高さで停止可能な屋根装置に係り、又パネル重量とバランスするパネルバランス機構が設けられ、該パネルバランス機構がワイヤを介して前記パネルに連結された屋根装置に係り、更に又前記パネルバランス機構が錘を有し、該錘は前記ワイヤに係着されると共に支柱内部に収納され、支柱内部を昇降可能である屋根装置に係るものである。
【発明の効果】
【０００８】
本発明によれば、少なくとも片側２以上の支柱により屋根が支持され、該屋根により格納スペースが覆われる屋根装置に於いて、隣接する支柱それぞれに、支柱から屋根裏面に掛渡りガイドレールが設けられ、該ガイドレールにガイドされ昇降可能な少なくとも１枚のパネルが前記支柱間に設けられたので、該支柱間の開口部をパネルにより適宜覆うことが可能であるので、前記支柱間の下部をパネルで覆った場合は積雪時期には雪の吹込みを防止できる。
【０００９】
又本発明によれば、前記パネルの専有面積は、前記支柱間が形成する開口面積より小さく、前記パネルは最下位置で前記格納スペースに接地し、パネル上方は前記支柱間を開放し、最上位置で屋根に沿って格納可能であるので、前記支柱間を完全に解放することができると共にパネルを降下させた状態でも開放状態を維持できる。
【００１０】
又本発明によれば、前記パネルは任意の高さで停止可能であるので、該パネルを日除け、目隠し等種々の用途に使用することができる。
【００１１】
又本発明によれば、パネル重量とバランスするパネルバランス機構が設けられ、該パネルバランス機構がワイヤを介して前記パネルに連結されたので、パネルの昇降が容易となる。
【００１２】
又本発明によれば、前記パネルバランス機構が錘を有し、該錘は前記ワイヤに係着されると共に支柱内部に収納され、支柱内部を昇降可能であるので、該支柱内部の空間が有効に利用でき、前記パネルバランス機構が露出しないので意匠性が向上する等の優れた効果を発揮する。
【発明を実施するための最良の形態】
【００１３】
以下、図面を参照しつつ本発明を実施する為の最良の形態を説明する。
【００１４】
図１〜図５により第１の実施の形態について説明する。
【００１５】
自動車の格納スペース５を囲む様に、支柱６ａ，７ａ，８ａ，９ａ、支柱６ｂ，７ｂ，８ｂ，９ｂが左右２列に立設され、各列の前記支柱６ａ，７ａ，８ａ，９ａ及び前記支柱６ｂ，７ｂ，８ｂ，９ｂの上端には縦桟１１ａ，１１ｂがそれぞれ取付けられ、各列の対向する前記支柱６ａと支柱６ｂ、前記支柱７ａと支柱７ｂ、前記支柱８ａと支柱８ｂ、前記支柱９ａと支柱９ｂの支柱間には横桟１２，１３，１４，１５が設けられている。該横桟１２，１３，１４，１５に屋根パネル１６が取付けられている。
【００１６】
前記左右の支柱の各列それぞれについて、支柱間にパネル昇降装置１７が設けられる。
【００１７】
設けられる該各パネル昇降装置１７については同一構造であるので、前記支柱６ａと支柱７ａ間に設けられた前記パネル昇降装置１７について説明する。
【００１８】
前記支柱６ａ、前記支柱７ａのそれぞれの対峙面には、ガイドレール１８が設けられ、該ガイドレール１８は前記支柱６ａ、前記支柱７ａの上端部近傍で湾曲して前記横桟１２、前記横桟１３に沿って水平に設けられたガイドレール水平部１９に連続している。
【００１９】
前記ガイドレール１８に沿って複数（図示では２枚）のパネル２１，２１が昇降可能に設けられ、該パネル２１とパネル２１とは屈曲自在に連結されている。該パネル２１にはローラシャフト２２を介してガイドローラ２３が回転自在に設けられ、該ガイドローラ２３は前記ガイドレール１８、前記ガイドレール水平部１９に対して転動自在に嵌合する様になっている。前記パネル２１の下端には水切りシール２０が設けられ、前記パネル２１の最下位置では格納スペース等の地面に略隙間なく接地可能となっている。又、前記パネル２１の専有面積は、支柱間が形成する開口面積より小さくなっている。
【００２０】
前記屋根パネル１６の下面にブラケット２４が設けられ、該ブラケット２４を介してドラムシャフト２５が前記支柱６ａ、前記支柱７ａの上端部に掛渡る様に設けられる。前記ドラムシャフト２５に巻取りドラム２６が回転自在に設けられ、該巻取りドラム２６にワイヤ２７が係着、巻付けられ、繰出された該ワイヤ２７の下端は最下段の前記パネル２１の下端部に係着されている。又、前記巻取りドラム２６と前記ドラムシャフト２５との間にはバランススプリング（図示せず）が設けられ、該バランススプリングは前記巻取りドラム２６を巻取り方向に付勢し、前記ワイヤ２７を介して前記パネル２１に上昇方向の力を付与し、該パネル２１の重量をバランスし、該パネル２１は任意の位置で停止可能となっている。
【００２１】
前記ワイヤ２７は前記ガイドレール１８と平行に設けられた外防雪爪２８によりカバーされ、前記ガイドレール１８、前記ローラシャフト２２、前記ガイドローラ２３は前記ガイドレール１８に沿って平行に設けられた内防雪爪２９によってカバーされている。又、前記屋根パネル１６の幅端部下面には、目隠しパネル３１が垂設され、該目隠しパネル３１は前記ドラムシャフト２５、前記巻取りドラム２６をカバーしている。
【００２２】
前記支柱６ａと支柱７ａ、該支柱７ａと支柱８ａ、該支柱８ａと支柱９ａとの間、前記支柱６ｂと支柱７ｂ、該支柱７ｂと支柱８ｂ、該支柱８ｂと支柱９ｂとの間にそれぞれ前記パネル昇降装置１７が設けられ、該各パネル昇降装置１７は独立して前記パネル２１を昇降可能となっている。
【００２３】
図３中で示す様に、前記全てのパネル昇降装置１７について前記パネル２１を下死点位置迄降下させておくと、雪の吹込みが防止でき、側面を開放したい場合は、前記巻取りドラム２６に前記ワイヤ２７を巻取り、前記パネル２１を前記ガイドレール水平部１９迄上昇させることで、側面が全開される。
【００２４】
又、前記各パネル昇降装置１７の前記パネル２１は任意の位置で、停止させることが可能であり、図２で示される様に、各支柱間の該パネル２１を階段状に停止させて変化を持たせることも可能である。又、該パネル２１を日除けとして使用することも可能であり、この場合は、該パネル２１を支柱の上部位置で停止させておけばよい。又、目隠しとして使用することも可能であり、この場合は、前記パネル２１を視線を遮る様に支柱の中間位置に停止させておけばよい。
【００２５】
尚、該パネル２１はアクリル等の透明板を使用しても、鋼板で模様を打抜いた物を使用してもよい等、該パネル２１については種々の変更を加えることができ、意匠性の向上が図れる。
【００２６】
図５は、該パネル２１のガイドレールの他の構造を示したものであり、支柱７ｂの対峙面にコの字断面のガイドレール３４を取付け、該ガイドレール３４に前記パネル２１をガイドさせると共に該パネル２１の端面にボールベアリング３３を設け、該ボールベアリング３３がコの字断面の前記ガイドレール３４の底面を転動する様にしたものである。
【００２７】
図６は第２の実施の形態を示し、パネル２１をガイドレール水平部１９に略完全に収納可能としたものである。尚、図６中、図３中に示したものと同等のものには同符号を付してある。
【００２８】
屋根パネル１６の下面の中央近くのブラケット２４を介してドラムシャフト２５を設け、該ドラムシャフト２５に巻取りドラム２６を回転自在に設ける。該巻取りドラム２６は図示しないバランススプリングにより巻取り方向に付勢されている。
【００２９】
ガイドレール１８の上方延長上にガイドプーリ３５が設けられ、前記巻取りドラム２６より繰出されたワイヤ２７は前記ガイドプーリ３５に掛回された後、最下段のパネル２１の下端に係着されている。
【００３０】
前記ワイヤ２７が前記ガイドプーリ３５に掛回されて前記パネル２１の下端に係着されることから、前記ガイドプーリ３５と前記パネル２１下端間が最小となる位置迄前記パネル２１が上昇され、該パネル２１は略前記ガイドレール水平部１９、或は略水平な状態に格納される。
【００３１】
前記パネル２１が略水平な状態に格納されることから、図３で示した目隠しパネル３１は省略することができる。
【００３２】
図７〜図９は第３の実施の形態を示すものであり、図中、図３中で示したものと同等のものには同符号を付してある。
【００３３】
第３の実施の形態では、第１の実施の形態で示したドラムシャフト２５、巻取りドラム２６、バランススプリング（図示せず）で構成されるパネルバランス機構に代え、バランサスプリングユニット３６を設けたものである。
【００３４】
ガイドレール１８の上方延長上に、それぞれ前記バランサスプリングユニット３６が設けられる。該バランサスプリングユニット３６は、捩りコイルスプリング（図示せず）と巻取りドラム３７を内蔵し、該巻取りドラム３７からワイヤ３８が繰出され、ガイドシープ３９を介して下方に垂下される。又、前記ワイヤ３８は前記捩りコイルスプリングにより巻取り方向に付勢されている。
【００３５】
前記バランサスプリングユニット３６は各パネル２１の各幅端に対応して設けられ、又該各パネル２１の各幅端にそれぞれ前記ワイヤ３８の下端が係着され、前記パネル２１は前記２つのバランサスプリングユニット３６によって重量がバランスされる様になっている。
【００３６】
図９の左部分は、前記パネル２１が最下位置迄降下した状態、右部分は該パネル２１が途中まで引上げられた状態を示し、又図８で示される状態が該パネル２１が格納された状態を示している。
【００３７】
図１０〜図１２は第４の実施の形態を示しており、パネル２１の昇降装置がロータリダンパ４１を具備する場合を示したものであり、又前記パネル２１を略水平な状態で格納する様にしたものである。この場合、前記ロータリダンパ４１は前記パネル２１の降下速度を制限すると共に巻上げ下げ装置としても機能する。
【００３８】
左右のガイドレール１８，１８それぞれの上方延長上に、ガイドシープ４２，４３が設けられる。又、屋根パネル１６の下面、ガイドレール水平部１９の終端（水平端）より中央側に前記ロータリダンパ４１が設けられている。下段の前記パネル２１の両幅下端にワイヤ４４，４５が係着され、一方の該ワイヤ４４は前記ガイドシープ４２を介して前記ロータリダンパ４１に巻取られ、他方の前記ワイヤ４５は前記ガイドシープ４３、前記ガイドシープ４２を介して前記ロータリダンパ４１に巻取られる様になっている。
【００３９】
該ロータリダンパ４１は回転ハンドル４６を有し、該回転ハンドル４６を正逆回転することで、前記ワイヤ４４，４５が同時に巻取られ、或は繰出される様になっており、前記パネル２１の昇降を行える様になっている。
【００４０】
上段の前記パネル２１の中央上縁に、固定用ラッチ４７が設けられ、又前記屋根パネル１６の下面にはラッチ受け（図示せず）が設けられ、前記パネル２１が格納された状態で前記固定用ラッチ４７が前記ラッチ受けに係合して、格納状態が保持される様になっている。
【００４１】
前記回転ハンドル４６を回転することで、前記ワイヤ４４，４５が繰出されて前記パネル２１が降下し、又前記回転ハンドル４６を回転することとで、前記ワイヤ４４，４５が巻取られて前記パネル２１が上昇する。前記回転ハンドル４６を自由にすると、前記パネル２１の自重で落下するが、落下速度は前記ロータリダンパ４１によって減速される。
【００４２】
図１３〜図１５は第５の実施の形態を示しており、図中、図３中で示したものと同等のものには同符号を付してある。第５の実施の形態では、パネルバランス機構に錘を用いたものである。
【００４３】
支柱７ｂは中空形状であり、一方の側面、例えば外側面４９が取外し可能となっている。前記支柱７ｂの内部は、仕切り５１，５２によって前後に仕切られ、錘５３，５４が昇降する空間５５，５６が形成されている。
【００４４】
ガイドレール１８の上端に隣接して配置されたガイドシーブユニット５７が設けられ、ワイヤ２７の一端が下段のパネル２１の幅端の一方の下端に係着され、前記ワイヤ２７が前記ガイドシーブユニット５７に掛回された後下方に延び、前記ワイヤ２７の他端は前記錘５３に係着されている。前記パネル２１の他方の幅端の下端にも係着され、該パネル２１の両幅端の下端にはそれぞれワイヤ２７，２７が係着され、該ワイヤ２７，２７を介して前記錘５３，５４に連結されている。
【００４５】
前記パネル２１は前記錘５３，５４により重量がバランスされているので、人手でも簡単に昇降が可能となる。又、図１１に示す様に、前記パネル２１に固定用ラッチを設け、屋根パネル１６側にラッチ受けを設け、格納時に前記固定用ラッチが前記ラッチ受けに係合して格納状態が保持される様にしてもよい。
【００４６】
又、前記パネル２１に出入り可能なストッパピンを設けると共に前記ガイドレール１８側に前記ストッパピンが嵌合する係合孔を設け、前記ストッパピンを前記係合孔に嵌合することで、パネルを所要高さに固定することも可能である。
【００４７】
尚、図３に於いて、左右のガイドレール水平部１９，１９を延長して連続させ、左右いずれか一方、例えば図中右側のパネル２１を左側のガイドレール１８迄移動させてもよい。この場合、移動に必要ならば右側の前記パネル２１とワイヤ２７とは適宜切離し、移動は手動で等適宜な手段を用いる。
【００４８】
又パネルを一方にまとめることで、風除け等に利用することができる。
【００４９】
尚、パネル昇降装置１７は、左右いずれか一方にのみ設けてもよく、又パネル２１は１枚以上であればよく、屋根が片持支持されている場合の支柱間にパネル昇降装置１７を設けてもよい。更に本発明の要旨を逸脱しない範囲で種々変更が可能である。例えば、支柱間が形成する開口を全閉できる様なパネルの大きさ、連結数としてもよい。或は全閉に必要なパネルは屋根に沿って予備パネルを格納しておいてもよく、或は全閉しない側のパネルを移動させる様にしてもよい。又、屋根が傾斜して設けられている場合等では、パネルを屋根に沿って格納できる様ガイドレール水平部を屋根に沿って傾斜させてもよい。又、パネルは最下位置で格納スペースの地面との間で隙間が形成される様にしてもよい。更に又、格納スペースに限らず、屋外通路、その他の屋外スペース等に設置される屋根装置としても適用可能である。
【図面の簡単な説明】
【００５０】
【図１】本発明の第１の実施の形態を示す平面図である。
【図２】本発明の第１の実施の形態を示す側面図である。
【図３】本発明の第１の実施の形態を示す正面図である。
【図４】本発明の第１の実施の形態に於けるガイドレール部の平断面図である。
【図５】本発明の第１の実施の形態に於けるガイドレール部の他の例を示す平断面図である。
【図６】本発明の第２の実施の形態を示す正面図である。
【図７】本発明の第３の実施の形態を示す正面図である。
【図８】本発明の第３の実施の形態に於けるバランス機構の拡大図である。
【図９】本発明の第３の実施の形態を示す部分側面図である。
【図１０】本発明の第４の実施の形態を示す部分正面図である。
【図１１】本発明の第４の実施の形態を示す部分側面図である。
【図１２】本発明の第４の実施の形態に用いられるロータリダンパを示す図である。
【図１３】本発明の第５の実施の形態を示す正面図である。
【図１４】本発明の第５の実施の形態を示す部分側面図である。
【図１５】本発明の第５の実施の形態に於ける支柱部分の平断面図である。
【図１６】従来例を示す斜視図である。
【符号の説明】
【００５１】
６ａ            支柱
６ｂ            支柱
７ａ            支柱
７ｂ            支柱
８ａ            支柱
８ｂ            支柱
９ａ            支柱
９ｂ            支柱
１７            パネル昇降装置
１８            ガイドレール
１９            ガイドレール水平部
２１            パネル
２５            ドラムシャフト
２６            巻取りドラム
２７            ワイヤ
３６            バランサスプリングユニット
３７            巻取りドラム
４１            ロータリダンパ
４７            固定用ラッチ
５３            錘
【図１】
2006312827.tif 000003
【図２】
2006312827.tif 000004
【図３】
2006312827.tif 000005
【図４】
2006312827.tif 000006
【図５】
2006312827.tif 000007
【図６】
2006312827.tif 000008
【図７】
2006312827.tif 000009
【図８】
2006312827.tif 000010
【図９】
2006312827.tif 000011
【図１０】
2006312827.tif 000012
【図１１】
2006312827.tif 000013
【図１２】
2006312827.tif 000014
【図１３】
2006312827.tif 000015
【図１４】
2006312827.tif 000016
【図１５】
2006312827.tif 000017
【図１６】
2006312827.tif 000018